(57)【特許請求の範囲】
【請求項１】
ブザータグのロック装置と、その解除装置から成り、前記ロック装置は、筐体と、この筐体内へ挿脱自在に設けられたスライダと、このスライダの側面へ略直角方向に付勢されるとともに着磁性を有する複数個のロックピンと、前記スライダに設けられるとともに前記ロックピンに係合する係止部を設け、前記スライダの前記筐体への挿入により、前記ロックピンが前記係止部に係合して、前記スライダの挿入状態を保持するとともに、この挿入状態の解除は、前記各々のロックピンを外部の磁力により吸引して前記スライダとの係合を解除するものであり、前記ロックピンの設けられた位置に対応するとともに、不透明の筐体内に設けられた磁石を有する前記解除装置とで構成された盗難防止装置において、前記ロック装置は、スライダ側面へ略直角方向に付勢されるとともに着磁性を有する保護用ピンと、前記スライダには前記保護用ピンに係合する保護用係止部を設け、前記スライダの挿入時に、前記保護用ピンが吸引されると、前記保護用ピンが前記保護用係止部に係合して、前記スライダの挿入状態を保持するとともに、前記解除装置は前記保護用ピンの設けられた位置と対応する位置には磁石の不設部を設けた盗難防止装置。
【請求項２】
複数個のロックピンと、保護用ピンとを着磁性のある弾性体により一体成形とした請求項１記載の盗難防止装置。
【請求項３】
保護用係止部に係り片を設け、スライダの挿入時に保護用ピンが吸引されると、この保護用ピンが前記係り片に係合して、前記スライダの挿入状態を保持する請求項１記載の盗難防止装置。
【請求項４】
保護用ピンが係り片に係合しているか否かを表示する表示部を設けた請求項３記載の盗難防止装置。
【請求項５】
筐体の一部に切り込まれた「Ｕ」の字形状部を設け、スライダと一体成形されるとともに商品への固定を行うロック棒とで商品へのロック部を形成した請求項１に記載の盗難防止装置。
【請求項６】
スライダは「コ」の字形状にするとともに、一方の片で商品とのロック部を形成するとともに、他片にロック用係止部と保護用係止部を設けた請求項１に記載の盗難防止装置。
【請求項７】
解除装置は、複数個の磁石をスライドボタンで上下方向に移動可能とした請求項１に記載の盗難防止装置。
【発明の詳細な説明】
【０００１】
【発明の属する技術分野】
本発明は、商品の盗難を防止する盗難防止装置に関するものである。
【０００２】
【従来の技術】
以下、従来の盗難防止装置について説明する。
【０００３】
従来の盗難防止装置は図５のようなものであった。図５において１はタグ本体であり、２はロック棒である。３は、前記タグ本体１に設けられたロック部であり、ロック部３の孔４に前記ロック棒２を挿入して使用するものである。前記ロック棒２を衣類などの商品５に貫通させた後、前記孔４に挿入すると前記ロック部３の内部で前記ロック棒２はロックされる。ロック状態を解除するために、磁石６を前記ロック部３の底部近くに置くと前記ロック棒２のロック状態は解除され、商品５を取り外すことができるようになっていた。
【０００４】
【発明が解決しようとする課題】
しかしながら、このような従来の構成では、磁石を１個持ってくると簡単にロック状態が解除され、盗難防止装置としては完全ではなかった。また、操作性もロック解除状態でロック棒２を抜く動作が必要となりロック部３とロック棒２が分離してしまうので操作性が悪いという問題点があった。
【０００５】
本発明はこのような問題点を解決するもので、簡単にはロック解除できない盗難防止装置を提供することを目的としたものである。
【０００６】
【課題を解決するための手段】
この目的を達成するために本発明の盗難防止装置は、ブザータグのロック装置と、その解除装置から成り、前記ロック装置は、筐体と、この筐体内へ挿脱自在に設けられたスライダと、このスライダの側面へ略直角方向に付勢されるとともに着磁性を有する複数個のロックピンと、前記スライダに設けられるとともに前記ロックピンに係合する係止部を設け、前記スライダの前記筐体への挿入により、前記ロックピンが前記係止部に係合して、前記スライダの挿入状態を保持するとともに、この挿入状態の解除は、前記各々のロックピンを外部の磁力により吸引して前記スライダとの係合を解除するものであり、前記ロックピンの設けられた位置に対応するとともに、不透明の筐体内に設けられた磁石を有する前記解除装置において、前記ロック装置は、スライダ側面へ略直角方向に付勢されるとともに着磁性を有する保護用ピンと、前記スライダには前記保護用ピンに係合する保護用係止部を設け、前記スライダの挿入時に、前記保護用ピンが吸引されると、前記保護用ピンが前記保護用係止部に係合して、前記スライダの挿入状態を保持するとともに、前記解除装置は前記保護用ピンの設けられた位置と対応する位置には磁石の不設部を設けたものである。
【０００７】
これにより、１個の磁石で簡単にロックが解除できず、信頼性が向上するとともに操作性も良い盗難防止装置が提供できる。さらに、たとえ大きくて、かつ強力な磁石を持ってきたとしても保護用ピンが働き、挿入状態を維持するので、信頼性が向上する。
【０００８】
【発明の実施の形態】
本発明の請求項１に記載の発明は、ブザータグのロック装置と、その解除装置から成り、前記ロック装置は、筐体と、この筐体内へ挿脱自在に設けられたスライダと、このスライダの側面へ略直角方向に付勢されるとともに着磁性を有する複数個のロックピンと、前記スライダに設けられるとともに前記ロックピンに係合する係止部を設け、前記スライダの前記筐体への挿入により、前記ロックピンが前記係止部に係合して、前記スライダの挿入状態を保持するとともに、この挿入状態の解除は、前記各々のロックピンを外部の磁力により吸引して前記スライダとの係合を解除するものであり、前記ロックピンの設けられた位置に対応するとともに、不透明の筐体内に設けられた磁石を有する前記解除装置とで構成された盗難防止装置としたものであり、このようにロックピンを複数個設けると共に解除キーもそれに対応した磁石を複数個持っているので、それぞれのロックピンを同時に解除しなければロックが解除されることはなく、信頼性が向上する。またスライダはロック装置から分離することはないので、このスライダにロック棒を一体成形しておけば、操作性は向上する。
【０００９】
請求項２に記載の発明のロック装置は、スライダ側面へ略直角方向に付勢されるとともに、着磁性を有する保護用ピンと、前記スライダには前記保護用ピンに係合する保護用係止部を設け、前記スライダの挿入時に、前記保護用ピンが吸引されると、前記保護用ピンが前記保護用係止部に係合して、前記スライダの挿入状態を保持するとともに、前記解除装置は前記保護用ピンの設けられた位置と対応する位置には磁石の不設部を設けた請求項１記載の盗難防止装置としたものであり、このように保護用ピンを設けることにより、たとえ大きくて、かつ強力な磁石を持ってきたとしても保護用ピンが働き、挿入状態を維持するので、信頼性が向上する。
【００１０】
請求項３に記載の発明は、複数個のロックピンと、保護用ピンとを着磁性のある弾性体により一体成形とした請求項２記載の盗難防止装置としたものであり、このように、保護用ピンを一体成形することにより、小型化と低コスト化が図れる。
【００１１】
請求項４に記載の発明は、保護用係止部に係り片を設け、スライダの挿入時に保護用ピンが吸引されると、この保護用ピンが前記係り片に係合して、前記スライダの挿入状態を保持する請求項２記載の盗難防止装置としたものであり、このように構成することにより、たとえ落下衝撃やいたずらなどによる繰り返し加振などの異常な負荷を受け保護用ピンが吸収されたとしてもスライダの挿入状態は維持され続けるため、信頼性を向上するとともに、異常な負荷をうけたことが後から確認することができる。
【００１２】
請求項５に記載の発明は、保護用ピンが係り片に係合しているか否かを表示する表示部を設けた請求項４記載の盗難防止装置としたものであり、このように表示部を設けることにより、後から異常な負荷を受けたかどうかの確認が可能となる。
【００１３】
請求項６に記載の発明は、筐体の一部に切り込まれた「Ｕ」の字形状部を設け、スライダと一体成形されるとともに商品への固定を行うロック棒とで商品へのロック部を形成した請求項１〜５のいずれかに記載の盗難防止装置としたものであり、このようにロック棒を筐体の「Ｕ」の字形状に挿入することで頑強にロック棒を支えることができるとともに、ロック棒に指輪などの環状の商品を取り付けることができる。また、ゴルフクラブや野球用具のバットなど、くびれのある商品には「Ｕ」の字形状部で直接固定することが可能であり、取り付けられる商品の種類が増える。
【００１４】
請求項７に記載の発明は、ロック棒の先端を針状とした請求項６記載の盗難防止装置としたものであり、このように先端が針状のロック棒とすることで布製の商品のような貫通して固定する商品へも直接ロック装置を固定することができる。
【００１５】
請求項８に記載の発明のスライダは、「コ」の字形状にするとともに、一方の片で商品とのロック部を形成するとともに、他片にロック用係止部と保護用係止部を設けた請求項１〜７のいずれかに記載の盗難防止装置としたものであり、このように「コ」の字形状にすることにより、盗難防止装置の小型化が図れる。
【００１６】
請求項９に記載の発明の解除装置は、複数個の磁石をスライドボタンで上下方向に移動可能とした請求項１〜８のいずれかに記載の盗難防止装置としたものであり、このように解除装置を使用しないときには、解除装置の壁面から出る磁力を減少させるために内部の磁石を壁面から遠ざけることにより磁力を低下させ、磁気記録媒体などの磁気による破壊を防ぐことができる。
【００１７】
以下、本発明の実施の形態について図１から図４を用いて説明する。
（実施の形態１）
図１に於いて、１１はブザータグの筐体であり、この筐体１１の一部にロック装置が設けられている。この筐体１１は不透明な合成樹脂によって形成されている。また１２は筐体１１に挿脱自在に摺動するとともに合成樹脂によって形成された「コ」の字型のスライダである。１３ａ，１３ｂ，１３ｃは着磁性のあるロックピンであり、前記スライダ１２の側面と略直角方向にそれぞればね１４ａ，１４ｂ，１４ｃで付勢されている。またスライダ１２はＡ方向にスライドばね１５で付勢されている。１６ａ，１６ｂ，１６ｃはスライダ１２に形成された凹部である。また、１７は解除装置であり、解除装置１７の内部には前記ロックピン１３ａ，１３ｂ，１３ｃに対応した位置に磁石１８ａ，１８ｂ，１８ｃが内蔵されている。この解除装置１７の筐体は不透明な樹脂で形成されているため、外部から磁石１８ａ，１８ｂ，１８ｃの位置を認識することはできない。
【００１８】
以上のように構成された盗難防止装置について以下にその動作を説明する。
図１はスライダ１２が筐体１１に差し込まれる前の状態である。この時、ロックピン１３ａ，１３ｂ，１３ｃは、凹部１６ａ，１６ｂ，１６ｃとは係合していない。したがって、スライダ１２をＢ方向に挿入することができる。スライダ１２を挿入するとロックピン１３ａ，１３ｂ，１３ｃは凹部１６ａ，１６ｂ，１６ｃにそれぞれ係合するので、スライダ１２はＡ方向に抜けないようになる。この状態で解除装置１７をブザータグの下面に近づけることにより、ロックピン１３ａ，１３ｂ，１３ｃは磁石１８ａ，１８ｂ，１８ｃに吸引されるのでロックピン１３ａ，１３ｂ，１３ｃは凹部１６ａ，１６ｂ，１６ｃから外れる。そうすると、スライダ１２はスライドばね１５によりＡ方向に押し出されて、ロック部１９が解除される。このようにロックピン１３ａ，１３ｂ，１３ｃを３個設けているため磁石によって１個または２個吸引してもスライダ１２のロック状態が解除されることはない。従って従来よりもロック部の信頼性は向上している。さらに平面状の不透明な筐体１１内に設置されたロック装置は、外見からはどの位置にロックピンがあるのかは分からない。このこともロック部の信頼性を向上している。また、解除装置１７上に筐体１１の一方の側面を合わせる程度で位置合わせができ、同時に、スライドばね１５により自動的にロックは解除されるため、操作性が従来に比べ非常に良いものとなっている。
【００１９】
（実施の形態２）
図２は実施の形態２である。実施の形態２に於いて図２（ａ）はロックが解除された状態、図２（ｂ）はロック時の状態を示している。図２（ａ）に於いて２１は筐体であり、２２は「コ」の字形状をしたスライダである。このスライダの一方の梁２２ａはロック棒であり、筐体２１の一部に切り込まれた「Ｕ」の字形状部とともにロック部２３を形成している。このロック部２３は商品への取付を行う箇所である。他方の梁２２ｂで係止部を形成している。係止部２２ｂには２４ａ，２４ｂのロック用係止部と、このロック用係止部２４ａ，２４ｂの間に保護用係止部２５が形成されている。２６ａ，２６ｂはロックピンである。２７は保護用ピンである。このロックピン２６ａ，２６ｂと保護用ピン２７とはＳＫ材をベーナイト組成に熱処理した特殊鋼を用いて一体成形し、溶着ピン２８によって筐体２１に溶着固定されている。このロックピン２６ａ，２６ｂおよび保護用ピン２７は材料自身の持つ弾性でＣ方向に付勢されている。また前記スライダ２２はスライドばね２９によってＡ方向に付勢されている。図２（ａ）のように解除時に於いては、ロック用係止部２４ａの下にロックピン２６ａが位置し、ロック用係止部２４ｂの下にロックピン２６ｂが位置している。
【００２０】
また保護用係止部２５の上に保護用ピン２７が位置しており、それぞれが係止されていない状態であるため前記スライダ２２はＢ方向に挿入することができる。今、前記スライダ２２をＢ方向に挿入すると、図２（ｂ）に示すようにロックピン２６ａはロック用係止部２４ａに、ロックピン２６ｂはロック用係止部２４ｂに係止されるので、前記スライダ２２はスライドばね２９でＡ方向に付勢されているが、Ａ方向へ戻ることができない。また図２（ｃ）はこれらのロック装置を解除するための解除装置を示したものである。解除装置３０は、筐体３１の中にスライドボタン３２が上下方向（Ｅ方向あるいはＦ方向）に自在に移動可能に取り付けられており、ロックピン２６ａに対応した位置に磁石３０ａが設けられ、ロックピン２６ｂに対応した位置に磁石３０ｂが設けられ、ともにスライドボタン３２とともに動作するように設けられている。また保護用ピン２７に対応した位置には磁石は設けられていない。解除装置３０を使用するときにはスライドボタン３２をＥ方向に動かし使用する。使用しないときにはＦ方向に移動させ壁面からの磁力を低下させる。したがって、磁気記録媒体などの磁気による破壊を避ける構造となっている。
【００２１】
このように構成された解除装置３０を図２（ｂ）に示したロック装置に近づけるとロックピン２６ａは磁石３０ａによって、ロックピン２６ｂは磁石３０ｂによって下方向であるＤ方向に吸引されるので、ロック用係止部２４ａ，２４ｂから外れ、前記スライドばね２９で付勢された前記スライダ２２はＡ方向に移動し、ロックは解除される。この時もしロックピン２６ａ，２６ｂを同時に引きつけ可能な大きな磁石を持ってきたとすると、ロックピン２６ａ，２６ｂの間に構成された保護用ピン２７も同時にＤ方向に吸引されるので、保護用ピン２７はロック用ピン２６ａ，２６ｂが外れる前に、保護用係止部２５に係止される。よってスライダ２２はＡ方向に戻ることができない。大きな磁石が取り外されたときには、保護用ピン２７が保護用係止部２５から外れる前に、ロックピン２６ａ、ロックピン２６ｂが、それぞれロック用係止部２４ａ，２４ｂに係止されるため、やはり、前記スライダ２２はＡ方向に解除されることはない。したがっていたずらなどで大きな磁石を用いたとしてもロックを解除することはできない。
【００２２】
（実施の形態３）
図３は実施の形態３である。実施の形態３に於いては、さらに繰り返し行ういたずら等を防止するために、実施の形態２における保護用係止部２５の形状を図の係止部３５のように変えている。すなわち係止部３５の上辺に係り片３５ａを設けたものである。以下動作を説明する。図３（ａ）はロックが解除された状態を示し、図３（ｂ）はロック時の状態を示している。図３（ａ）のように解除時に於いては、ロック用係止部２４ａの下にロックピン２６ａが位置し、ロック用係止部２４ｂの下にロックピン２６ｂが位置している。また係止部３５の上に保護用ピン２７が位置しておりそれぞれが、係止されていない状態であるため前記スライダ２２はＢ方向に挿入することができる。今、前記スライダ２２をＢ方向に挿入すると、図３（ｂ）に示すようにロックピン２６ａはロック用係止部２４ａに係止され、ロックピン２６ｂはロック用係止部２４ｂに係止されるので前記スライダ２２はスライドばね２９でＡ方向に付勢されているが、Ａ方向へ戻ることができない。ロック装置を解除する場合には、解除装置３０を図３（ｂ）に示したロック装置に近づけるとロックピン２６ａは磁石３０ａによって、ロックピン２６ｂは磁石３０ｂによって下方向であるＤ方向に吸引されるので、ロック用係止部２４ａ，２４ｂから外れ前記スライダ２２はＡ方向に摺動し、ロック解除される。
【００２３】
ここで、図３（ｃ）に示すように、もしロックピン２６ａ，２６ｂを同時に引きつけ可能な大きな磁石を持ってきたとすると、ロックピン２６ａ，２６ｂと保護用ピン２７も同時にＤ方向に吸引される。この時にはスライダ２２は係止されていないのでスライドばね２９によってＡ方向に押し出される。しかし、この時の移動量は若干量である。すなわち、商品の取り付けを行うロック棒２２ａは開かない程度の移動量である。以下その理由を説明する。スライダ２２が若干量の移動を行うと係止部３５に保護用ピン２７が係止し、スライダ２２は停止する。この状態に於いて、さらに保護用ピン２７は係り片３５ａによってＣ方向に戻ろうとする動作をロックされているため、大きな磁石を取り除かれてもスライダ２２を係止し続ける。この時に、この状態を示すために図４に示すように、スライダ２２には表示部３６を設けるとともに筐体２１には表示窓３７を設けて、この状態にあることを上から目視できるようにしている。
【００２４】
３８は金属などの堅く、先端が鋭く尖ったロック棒である。このため布製などの貫通して固定する商品などに直接ブザータグを取り付けることができる。このことは従来のような本体と分離したロック棒を刺して商品と固定するタイプに比べロック棒自体がブザータグに内蔵されているために、ロック棒を紛失する心配はない。
【００２５】
また、解除時においては解除装置にブザータブを近づけるだけでロック棒自身が自動的に商品から抜けるため、従来のように解除した後にロック棒を引き抜く操作をしなくてよい。もちろん指輪などの環状の商品及びブザータグ本体に取り付けられた先端が環状のワイヤを直接ロック棒３８に固定することもできる。またロック部２３は筐体によって「Ｕ」の字形状となっているため野球道具のバットのような一部がくびれた商品に対してはロック部２３を商品のくびれに差し込んでスライダ２２を押し込むことで商品への固定が可能となっている。
【００２６】
このように幾通りかの商品取り付け方法を持っているため、様々な商品に対してブザータグ本体を容易に取り付けることができる。
【００２７】
【発明の効果】
以上のように本発明によれば、ブザータグのロック装置と、その解除装置から成り、前記ロック装置は、筐体と、この筐体内へ挿脱自在に設けられたスライダと、このスライダの側面へ略直角方向に付勢されるとともに着磁性を有する複数個のロックピンと、前記スライダに設けられるとともに前記ロックピンに係合する係止部を設け、前記スライダの前記筐体への挿入により、前記ロックピンが前記係止部に係合して、前記スライダの挿入状態を保持するとともに、この挿入状態の解除は、前記各々のロックピンを外部の磁力により吸引して前記スライダとの係合を解除するものであり、前記ロックピンの設けられた位置に対応するとともに、不透明の筐体内に設けられた磁石を有する解除装置とで構成された盗難防止装置としたものであり、このようにロックピンを複数個設けると共に解除装置もそれに対応した磁石を複数個持っているので、それぞれのロックピンを同時に解除しなければロックが解除されることはなく、信頼性が向上する。またスライダはロック装置から分離することはないので、このスライダにロック棒を一体成形しておけば、操作性は更に向上する。
【図面の簡単な説明】
【図１】本発明の実施の形態１による盗難防止装置の部分破砕斜視図
【図２】（ａ）同実施の形態２による解除時の盗難防止装置の部分破砕斜視図
（ｂ）同実施の形態２によるロック時の盗難防止装置の部分破砕斜視図
（ｃ）同実施の形態２による解除装置の斜視図
【図３】（ａ）同実施の形態３による解除時の盗難防止装置の部分破砕斜視図
（ｂ）同実施の形態３によるロック時の盗難防止装置の部分破砕斜視図
（ｃ）同実施の形態３によるロック状態の保護時の盗難防止装置の部分破砕斜視図
【図４】本発明の斜視図
【図５】従来の盗難防止装置の斜視図
【符号の説明】
１１  筐体
１２  スライダ
１３ａ  ロックピン
１３ｂ  ロックピン
１３ｃ  ロックピン
１４ａ  ばね
１４ｂ  ばね
１４ｃ  ばね
１５  スライドばね
１６ａ  凹部
１６ｂ  凹部
１６ｃ  凹部
１７  解除装置
１８ａ  磁石
１８ｂ  磁石
１８ｃ  磁石
１９  ロック部
【図１】
0003661335.tif 000002
【図２】
0003661335.tif 000003
【図３】
0003661335.tif 000004
【図４】
0003661335.tif 000005
【図５】
0003661335.tif 000006